(57)【特許請求の範囲】
【請求項１】
対向する局間に直通回線を設定する電子交換機であって、
管理局（１００）のネットワーク（１０）には３者通話トランク（１１）を接続し、
記憶装置（２０）には直通回線設定データ領域（２１）を設け、
中央制御装置（３０）には直通回線を設定する端末（Ｔｉ）の収容位置を検索する収容位置検索部（３１）と、
前記収容位置検索部（３１）で検索した該端末（Ｔｉ）の収容位置データを前記直通回線設定データ領域（２１）に設定する直通回線設定部（３２）と、
各種指示、通達を行う統制台（３３）を設け、
支部局（２００）の記憶装置（２０）には直通回線設定データ領域（２１）を設け、
中央制御装置（３０）には直通回線を設定する端末（Ｔｊ）の収容位置を検索する収容位置検索部（３１）と、
前記収容位置検索部（３１）で検索した該端末（Ｔｊ）の収容位置データを前記直通回線設定データ領域（２１）に設定する直通回線設定部（３２）を設け、前記管理局（１００）の前記統制台（３３）から自局内の直通回線を設定する前記端末（Ｔｉ）を呼び出し、次いで直通回線を設定する前記支部局（２００）の前記端末（Ｔｊ）を呼び出し前記３者通話トランク（１１）を介して３者通話状態とした後、前記統制台（３３）から直通設定特番を送出し、それぞれの局の前記収容位置検索部（３１）で通話中の前記端末（Ｔｉ、Ｔｊ）の収容位置を検索し、該収容位置データを前記直通回線設定部（３２）で前記直通回線設定データ領域（２１）に設定することを特徴とする電子交換機。
【請求項２】
１項記載の電子交換機において、
前記中央制御装置（３０）に、直通回線を設定する設定特番を送出したときに、直通回線設定する端末（Ｔｉ）が話中の場合、強制切断を行う強制切断部（３４）を設けたことを特徴とする請求項１記載の電子交換機。
【請求項３】
１項記載の電子交換機において、
前記中央制御装置（３０）が直通回線を設定する設定特番を送出したときに、起動されるタイマ（３５）を設け、
前記中央制御装置（３０）が直通回線を設定する設定特番を送出し、前記タイマ（３５）がタイムアウトになっても、設定完了信号を受信できない場合は、前記統制台（３３）に設定不可通知を送出することを特徴とする請求項１記載の電子交換機。
【請求項４】
２項記載の電子交換機において、
前記中央制御装置（３０）に設定された直通回線により発信したとき、２つの局間で設定データの不一致を検出するデータ不一致検出部（３６）と、
前記データ不一致検出部（３６）で、直通回線の設定データの不一致を検出したとき、直通回線設定データを解除する直通回線解除部（３７）を設けたことを特徴とする請求項２記載の電子交換機。
【発明の詳細な説明】
【０００１】
【産業上の利用分野】
本発明は対向する局間に直通回線を設定する電子交換機に関する。
例えば、防災無線システムにおいては、災害発生時には、防災無線システムの中心にあり、各種管理、統制を行う管理局から複数の支部局に対して、早急に各種指示、通達を行うことが必要であり、システムとして、緊急時の即応性、正確性が必要である。また、緊急事態発生の場合の、運用上の混乱を避けるためには、その運用、管理のすべては管理局に委ねなければならない。
【０００２】
このために、各局に収容され、通常は一般内線として使用されている電話機を管理局からの設定操作のみにより、直通回線として設定し、緊急時の通信に使用できる電子交換機が要求されている。
【０００３】
【従来の技術】
図７は従来例を説明するブロック図を示す。図中の１００は管理局、２００は支部局であり、それぞれネットワーク１０、記憶装置２０、中央制御装置３０を備えている。また、管理局１００には、各種指示、通達を行う機能をもつ統制台３３と、各種データの設定、コマンドの入出力を行うコンソール３３Ａとが接続されており、支部局２００にはコンソール３３Ａが接続されている。Ｔ１〜Ｔｎは電話機等の端末である。
【０００４】
ここで、例えば、管理局１００の電話機Ｔｉと支部局２００の電話機Ｔｊとの間に直通回線を設定するときは、それぞれの局のコンソール３３Ａからコマンドを入力し、直通回線設定データ領域（図中直通回線設定データと示す）２１に直通となる相手局への中継線の収容位置と相手局の端末の番号を入力し設定する。
【０００５】
【発明が解決しようとする課題】
上述の従来例において、直通回線を設定する場合には、必ず両方の局からそれぞれの相手先のデータを入力することが必要である。このとき、局間直通回線の場合、入力されるデータは「自局内線番号」＋「中継線捕捉特番」＋「対局内線番号」であり、それぞれの局で、保守者が番号計画をチェックしながら、直通回線を設定するためのデータを入力しなければならない。また、直通回線の解除も同様に、それぞれの局のコンソール３３Ａから直通解除コマンドを投入して解除する。そのために、それぞれの局に保守者を常駐させておくことが必要である。
【０００６】
さらに、通話中の端末に対して、直通回線を設定しようとすると、該端末が通話中ということで、入力したコマンドははじかれてしまい、直通回線の設定ができない。
【０００７】
本発明は管理局のみの操作で、直通回線を設定することのでき、且つ使用中の端末に対しても直通回線の設定が可能な電子交換機を実現しようとする。
【０００８】
【課題を解決するための手段】
図１は本発明の原理を説明するブロック図である。図中の１００は管理局であり、管理局１００の中のネットワーク１０には３者通話トランク１１を接続し、記憶装置２０には直通回線設定データ領域２１を設け、中央制御装置３０には直通回線を設定する端末Ｔｉの収容位置を検索する収容位置検索部３１と、収容位置検索部３１で検索した該端末Ｔｉの収容位置データを直通回線設定データ領域２１に設定する直通回線設定部３２と、各種指示、通達を行う機能をもつ統制台３３を設け、
支部局２００の中の記憶装置２０には直通回線設定データ領域２１を設け、中央制御装置３０には直通回線を設定する端末Ｔｊの収容位置を検索する収容位置検索部３１と、収容位置検索部３１で検索した該端末Ｔｊの収容位置データを直通回線設定データ領域２１に設定する直通回線設定部３２を設け、
管理局１００と支部局２００の間で直通回線を設定するとき、管理局１００の統制台３３からの直通回線設定特番により設定を行う。
【０００９】
【作用】
図２は本発明の動作フローチャートを示す。フローチャートにより本発明の作用を説明する。
【００１０】
▲１▼  管理局１００と支部局２００の間で直通回線を設定するとき、管理局１００の統制台３３から、自局内の直通回線を設定する端末Ｔｉを呼び出す。
▲２▼  統制台３３と端末Ｔｉを通話状態とする。
【００１１】
▲３▼  統制台３３は自局内の直通回線を設定する端末Ｔｉを保留状態とした後、直通回線を設定する支部局２００の端末Ｔｊを呼び出す。このときの、呼び出しは通常のダイヤル信号送出方式で行っている。
【００１２】
▲４▼  端末Ｔｊの応答により、端末Ｔｊと統制台３３が通話状態となる。
▲５▼  統制台３３で図示省略の確認通話ボタンを押下げることにより、３者通話トランク１１を介して、統制台３３、端末Ｔｉ、Ｔｊが３者通話状態となる。
【００１３】
▲６▼  実行ボタンを押下げることにより、統制台３３から直通設定特番が送出され、それぞれの局の収容位置検索部３１は通話中の端末Ｔｉ、Ｔｊの収容位置を検索する。
【００１４】
▲７▼  該収容位置データを直通回線設定部３２で直通回線設定データ領域２１に設定し、以降直通回線による通話を可能とする。
上述の手順により、管理局１００からの設定操作のみで、管理局１００の端末Ｔｉ、支部局２００の端末Ｔｊの間に直通回線を設定することができる。
【００１５】
【実施例】
図３は本発明の実施例の直通回線設定データを説明する図である。図中の２１Ａは直通回線設定データを示し、２１Ｂは直通設定フラグ、２１Ｃは直通設定情報を示す。
【００１６】
直通回線設定データ２１Ａは直通設定フラグ２１Ｂ、直通設定情報２１Ｃより構成されることを示し、直通設定フラグ２１Ｂは直通設定可能内線０〜１５の１６回線（この例では、直通設定可能内線数を１６回線としている。）中の直通回線を設定した回線に設定フラグをたてて表示している。
【００１７】
また、直通設定情報２１Ｃは内線電話機０〜１２７（この例では、収容可能内線数を１２８回線としている。）の１２８台のそれぞれの情報を示し、各内線ごとに直通回線の設定の有無、回線の種別、中継線収容位置番号、対局直通回線キーコード等を書き込んだものである。
【００１８】
図４は本発明の実施例を説明するブロック図（１）を示す。図中の１００は管理局であり、１０はネットワーク、１１は３者通話トランク、１２は直通回線インタフェース（図中直通回線ＩＮＦと示す）、２０は記憶装置、２１は直通回線設定データ領域、３０は中央制御装置、３１は収容位置検索部、３２は直通回線設定部、３３は統制台、３３Ａはコンソール、３４は強制切断部である。実施例では図が複雑になるので、管理局１００のみを示している。
【００１９】
直通回線を設定するとき、統制台３３の直通回線ボタンＡと登録ボタンＢを押下げると、中央制御装置３０は直通回線の登録であることを認識する。次いで、統制台３３より、テンキーＦにより自局の直通回線を設定する端末Ｔｉを指定する。
【００２０】
次いで、統制台３３より回線種別、支部局２００と直通回線を設定する端末Ｔｊを指定し、回線接続ボタンＣを押下げることにより、直通回線インタフェース１２を介して、発信接続が行われる。このとき、管理局１００の端末Ｔｉには保留音が送出されている。
【００２１】
支部局２００では、送られてきた数字情報より端末Ｔｊを呼び出し、端末Ｔｊの応答により、統制台３３と端末Ｔｊが通話状態となる。ここで、確認通話ボタンＤを押下げることにより、端末Ｔｉ、統制台３３、端末Ｔｊが３者通話トランク１１を介して３者通話状態となる。
【００２２】
そして、、統制台３３の実行ボタンＥを押下げることにより、中央制御装置３０から直通回線インタフェース１２を介して、「１パルス」＋「直通回線設定特番」＋「対局端末キーコード」＋「自局端末キーコード」を送出する。
【００２３】
それぞれの局の収容位置検索部３１は通話中の端末Ｔｉ、Ｔｊの収容位置を検索し、直通回線設定部３２により該収容位置データを図３で説明した直通回線設定データとして設定する。支部局２００は設定が完了すると管理局１００に対して設定完了通知を送出する。
【００２４】
このように、管理局１００からの直通回線の設定は３者通話の状態としてから、直通回線設定特番により実行している。したがって、直通回線を設定しようとする端末Ｔｉ、Ｔｊが話中の場合には、直通回線の設定が不可能となる。そこで、本実施例では、直通回線を設定しようとする端末Ｔｉ、Ｔｊが話中の場合でも、直通回線の設定ができるように、強制切断部３４を設けており、統制台３３の呼び出しに対して端末が話中の場合には、再度、確認通話ボタンＤを押下げることにより、強制切断部３４により、使用中の端末に話中音を送出し強制切断する。そして、その端末がオンフックすると、該端末の呼び出しを行い、端末が応答し、直通回線の設定が可能となる。
【００２５】
図５は本発明の実施例を説明するブロック図（２）を示す。図は図４で説明した構成にタイマ３５を設けたものである。
直通回線の設定は管理局１００の統制台３３からの操作により行う。このとき、中央制御装置３０は直通回線設定特番を送出する。タイマ３５は直通回線設定特番の送出と同時に起動され、タイムアウトとなると、タイムアウト信号を送出する。中央制御装置３０はタイムアウト信号となるまえに、設定完了信号を受信できたか否かを監視している。設定完了信号を受信できなかった場合には、統制台３３のディスプレイＧに設定不可であったことを表示する。そこで、別の端末を選択し、直通回線の設定操作を行う。
【００２６】
図６は本発明の実施例を説明するブロック図（３）を示す。図は図４で説明した構成にデータ不一致検出部３６と直通回線解除部３７を設けたものである。
図２で説明したような手順により、直通回線を設定したあと、直通登録された端末Ｔｉ、Ｔｊからの発信はオフフックすることにより行う。何れかの端末Ｔｉ、Ｔｊがオフフックされると、中央制御装置３０は直通回線の発信であることを認識し、直通回線設定データ領域２１を検索し、指定される中継線の捕捉を行いキーコードで指定される端末Ｔｊを呼び出す。このとき、直通回線が設定された端末Ｔｉ、Ｔｊによる通話と指定されたのに、直通回線設定データ領域２１にデータが登録されていなかった場合には、データ不一致検出部３６でデータの不一致と判定し、直通回線解除部３７で該端末Ｔｉ、Ｔｊの直通回線設定データ領域２１の直通回線設定データを自動的にクリアする。
【００２７】
【発明の効果】
本発明によれば、対向する２つの電子交換機の間に直通回線を設定するとき、一方の局からのみの操作により、直通回線のデータ設定、解除が可能となり、さらに、２つの電子交換機の間で直通回線のデータの不一致が生じたときは、その直通回線データを自動的にクリアすることのできる電子交換機を実現することができる。
【図面の簡単な説明】
【図１】本発明の原理を説明するブロック図
【図２】本発明の動作フローチャート
【図３】本発明の実施例の直通回線設定データを説明する図
【図４】本発明の実施例を説明するブロック図（１）
【図５】本発明の実施例を説明するブロック図（２）
【図６】本発明の実施例を説明するブロック図（３）
【図７】従来例を説明するブロック図
【符号の説明】
１００  管理局
２００  支部局
１０  ネットワーク
１１  ３者通話トランク
１２  直通回線インタフェース
２０  記憶装置
２１  直通回線設定データ領域
２１Ａ  直通回線設定データ
２１Ｂ  直通設定フラグ
２１Ｃ  直通設定情報
３０  中央制御装置
３１  収容位置検索部
３２  直通回線設定部
３３  統制台
３３Ａ  コンソール
３４  強制切断部
３５  タイマ
３６  データ不一致検出部
３７  直通回線解除部
Ｔ１〜Ｔｎ  端末
Ａ  直通回線ボタン
Ｂ  登録ボタン
Ｃ  回線接続ボタン
Ｄ  確認通話ボタン
Ｅ  実行ボタン
Ｆ  テンキー
Ｇ  ディスプレイ
【図１】
0003611592.tif 000002
【図２】
0003611592.tif 000003
【図３】
0003611592.tif 000004
【図４】
0003611592.tif 000005
【図５】
0003611592.tif 000006
【図６】
0003611592.tif 000007
【図７】
0003611592.tif 000008